(57)【要約】【課題】従来の室内機では、ケーシングが壁面に対して離れるように移動して、ケーシングと壁面との間に隙間が生じ、意匠性が悪くなる問題がある。【解決手段】この室内機は、壁面に固定される据付板２と、据付板２に取り付けられる底フレーム１０（ケーシング）とを有する。そして、底フレーム１０（ケーシング）は、当該底フレーム１０（ケーシング）を室内の壁面に固定するためのねじ孔７３−７６（ねじ固定部）を有する。【選択図】図６
2015124975.tif 000002
【特許請求の範囲】
【請求項１】
壁面に固定される据付板と、
前記据付板に取り付けられるケーシングとを備え、
前記ケーシングは、当該ケーシングを壁面に固定するためのねじ固定部を有することを特徴とする室内機。
【請求項２】
前記ねじ固定部が前記据付板の長手方向端部より外側に配置されることを特徴とする請求項１に記載の室内機。
【請求項３】
前記ケーシングは、前記据付板の長手方向端部より外側において背面側に突出した突出部を有することを特徴とする請求項２に記載の室内機。
【請求項４】
前記ねじ固定部が前記突出部に配置されることを特徴とする請求項３に記載の室内機。
【請求項５】
前記ねじ固定部が前記据付板の長手方向端部と前記突出部との間に配置されることを特徴とする請求項３に記載の室内機。
【請求項６】
前記突出部が、前記ケーシングの高さ方向略全幅にあることを特徴とする請求項３−５のいずれかに記載の室内機。
【請求項７】
前記ケーシングには、前記据付板の長手方向端部より外側且つ前記ケーシングの背面側において、高さ方向に沿って延在する配管引出用の切欠きが形成されており、
前記ねじ固定部が前記切欠きより長手方向外側に配置されることを特徴とする請求項２−６のいずれかに記載の室内機。
【請求項８】
前記据付板の下方部分と対向する凹部を有する壁面に取り付けられる室内機であって、
前記据付板は、その上端部に当該据付板を壁面に固定するための据付板固定部を有しており、
前記ねじ固定部は、高さ方向において、前記据付板固定部と前記凹部との間に配置されることを特徴とする請求項１−７のいずれかに記載の室内機。
【発明の詳細な説明】
【技術分野】
【０００１】
本発明は、例えば空気調和機の室内機に関する。
【背景技術】
【０００２】
従来の室内機には、室内の壁面に取り付けられる壁掛け型のものがある。この室内機は、室内の壁面に固定される据付板と、据付板に取り付けられるケーシングとを備えている。
【０００３】
従来の室内機では、据付板は、その上端部及び下端部において室内の壁面にねじ止めされることが多く、ケーシングは、据付板の上端部及び下端部に設けられた嵌合部（爪部）により据付板に固定されることが多い。また、従来の室内機では、室外機に接続される配管が据付板とケーシングとの間に配置されることが一般的である。
【先行技術文献】
【特許文献】
【０００４】
【特許文献１】特開平１０−１８５２９８号公報
【発明の概要】
【発明が解決しようとする課題】
【０００５】
上記の室内機では、例えば据付板として、当該据付板の下方部分にケーシングの背面と対向しない切欠き部分を有するものを使用した場合、室外機に接続される配管が据付板の切欠き部分から壁面に向かって突出することが考えられる。このとき、室内の壁面に据付板の下方部分と対向する凹部があって据付板の下方部分を壁面にねじ止めできない場合や、据付板の下方部分をねじ止めし忘れた場合などには、ケーシングが据付板ごと壁面に対して離れるように移動して、ケーシングと壁面との間に隙間が生じ、意匠性が悪くなる問題がある。
【０００６】
また、例えば据付板とケーシングとの嵌合状態が緩い場合には、室内機の自重によってケーシングが据付板に対して離れるように移動して、ケーシングと壁面との間に隙間が生じ、意匠性が悪くなる問題がある。
【０００７】
そこで、本発明の目的は、ケーシングと壁面との間に隙間が生じるのを防止できる室内機を提供することである。
【課題を解決するための手段】
【０００８】
第１の発明にかかる室内機は、壁面に固定される据付板と、前記据付板に取り付けられるケーシングとを備え、前記ケーシングは、当該ケーシングを壁面に固定するためのねじ固定部を有することを特徴とする。
【０００９】
この室内機では、ケーシングが室内の壁面にねじ止めされるので、ケーシングと壁面との間に隙間が生じるのを防止できる。その結果、室内機の意匠性が向上する。
【００１０】
第２の発明にかかる室内機は、第１の発明にかかる室内機において、前記ねじ固定部が前記据付板の長手方向端部より外側に配置されることを特徴とする。
【００１１】
この室内機では、ねじ固定部が据付板の長手方向端部より外側に配置されるので、ケーシングが室内の壁面に固定された状態において、据付板が側方から見えにくい。
【００１２】
第３の発明にかかる室内機は、第２の発明にかかる室内機において、前記ケーシングは、前記据付板の長手方向端部より外側において背面側に突出した突出部を有することを特徴とする。
【００１３】
この室内機では、ケーシングと室内の壁面との間に据付板が介在するので、据付板の長手方向端部より外側においてケーシングと室内の壁面との間には隙間が生じることになるが、ケーシングが室内の壁面に固定される際にケーシングの突出部が壁面に支持されるので、ケーシングの外側部分が壁面側に反るように変形することを防止できる。また、据付板が側方からより見えにくい。
【００１４】
第４の発明にかかる室内機は、第３の発明にかかる室内機において、前記ねじ固定部が前記突出部に配置されることを特徴とする。
【００１５】
この室内機では、ねじ固定部が突出部より長手方向外側に配置される場合に比べて、ケーシングの外側部分が壁面側に反るように変形しにくい。
【００１６】
第５の発明にかかる室内機は、第３の発明にかかる室内機において、前記ねじ固定部が前記据付板の長手方向端部と前記突出部との間に配置されることを特徴とする。
【００１７】
この室内機では、ねじ固定部が突出部より長手方向外側に配置される場合に比べて、ケーシングの外側部分が壁面側に反るように変形しにくい。
【００１８】
第６の発明にかかる室内機は、第３−第５のいずれかの発明にかかる室内機において、前記突出部が、前記ケーシングの高さ方向略全幅にあることを特徴とする。
【００１９】
この室内機では、突出部がケーシングの高さ方向略全幅にあるので、据付板が側方からより見えにくい。
【００２０】
第７の発明にかかる室内機は、第２−第６のいずれかの発明にかかる室内機において、前記ケーシングには、前記据付板の長手方向端部より外側且つ前記ケーシングの背面側において、高さ方向に沿って延在する配管引出用の切欠きが形成されており、前記ねじ固定部が前記切欠きより長手方向外側に配置されることを特徴とする。
【００２１】
この室内機では、ケーシングのうち配管引出用の切欠きより長手方向外側の部分の剛性が低くなるので、当該長手方向外側の部分においてケーシングと壁面との隙間が大きくなりやすいが、ねじ固定部が当該長手方向外側の部分に配置されるので、配管引出用の切欠きより長手方向外側の部分においてケーシングと壁面との隙間が大きくなるのを防止できる。
【００２２】
第８の発明にかかる室内機は、第１−第７のいずれかの発明にかかる室内機において、前記据付板の下方部分と対向する凹部を有する壁面に取り付けられる室内機であって、前記据付板は、その上端部に当該据付板を壁面に固定するための据付板固定部を有しており、前記ねじ固定部は、高さ方向において、前記据付板固定部と前記凹部との間に配置されることを特徴とする。
【００２３】
この室内機では、据付板の下方部分を室内の壁面にねじ止めできないため、室内機の下方部分と室内の壁面との隙間が大きくなりやすいが、ねじ固定部が高さ方向において据付板の上端部に配置される据付板固定部と壁面の凹部との間に配置されるので、室内機の下方部分と壁面との隙間が大きくなるのを防止できる。
【発明の効果】
【００２４】
以上の説明に述べたように、本発明によれば、以下の効果が得られる。
【００２５】
第１の発明では、ケーシングが室内の壁面にねじ止めされるので、ケーシングと壁面との間に隙間が生じるのを防止できる。その結果、室内機の意匠性が向上する。
【００２６】
第２の発明では、ねじ固定部が据付板の長手方向端部より外側の外側部分に配置されるので、ケーシングが室内の壁面に固定された状態において、据付板が側方から見えにくい。
【００２７】
第３の発明では、ケーシングと室内の壁面との間に据付板が介在するので、据付板の長手方向端部より外側においてケーシングと室内の壁面との間には隙間が生じることになるが、ケーシングが室内の壁面に固定される際にケーシングの突出部が壁面に支持されるので、ケーシングの外側部分が壁面側に反るように変形することを防止できる。また、据付板が側方からより見えにくい。
【００２８】
第４の発明では、ねじ固定部が突出部より長手方向外側に配置される場合に比べて、ケーシングの外側部分が壁面側に反るように変形しにくい。
【００２９】
第５の発明では、ねじ固定部が突出部より長手方向外側に配置される場合に比べて、ケーシングの外側部分が壁面側に反るように変形しにくい。
【００３０】
第６の発明では、突出部がケーシングの高さ方向略全幅にあるので、据付板が側方からより見えにくい。
【００３１】
第７の発明では、ケーシングのうち配管引出用の切欠きより長手方向外側の部分の剛性が低くなるので、当該長手方向外側の部分においてケーシングと壁面との隙間が大きくなりやすいが、ねじ固定部が当該長手方向外側の部分に配置されるので、配管引出用の切欠きより長手方向外側の部分においてケーシングと壁面との隙間が大きくなるのを防止できる。
【００３２】
第８の発明では、据付板の下方部分を室内の壁面にねじ止めできないため、室内機の下方部分と室内の壁面との隙間が大きくなりやすいが、ねじ固定部が高さ方向において据付板の上端部に配置される据付板固定部と壁面の凹部との間に配置されるので、室内機の下方部分と壁面との隙間が大きくなるのを防止できる。
【図面の簡単な説明】
【００３３】
【図１】（ａ）は、本発明の実施形態にかかる室内機の停止時の斜視図であり、（ｂ）は、室内機の運転時の斜視図であり、（ｃ）は、室内機から前面パネル及び吹出パネルを取り外したときの斜視図である。
【図２】（ａ）は、室内機の停止時の正面図であり、（ｂ）は、室内機の運転時の正面図である。
【図３】（ａ）は、室内機の停止時の右側面図であり、（ｂ）は、室内機の運転時の右側面図である。
【図４】室内機から前面パネル及び吹出パネルを取り外したときの正面図である。
【図５】室内機の縦断面を示す概略図である。
【図６】室内機の背面図である。
【図７】据付板単品の正面図である。
【図８】据付板及び底フレームの背面図である。
【図９】据付板及び底フレームの正面図である。
【図１０】据付板及び底フレームの上面図である。
【図１１】（ａ）は、底フレームの右側面図であり、（ｂ）は、底フレームから化粧板を外したフレーム本体単体の右側面図である。
【図１２】据付板の下方部分と対向する凹部を有する壁面に室内機が取り付けられたときの様子を側方から見た概略図である。
【図１３】据付板の下方部分と対向する凹部を有する壁面に室内機が取り付けられる様子を説明した図であり、（ａ）は、室内機取り付け前の壁面を示す図、（ｂ）は、据付板取り付け後の壁面を示す図、（ｃ）は、室内機取り付け後の壁面を示す図である。
【図１４】本発明の変形例にかかる室内機における据付板及び底フレームの背面図である。
【発明を実施するための形態】
【００３４】
以下、本発明の実施形態に係る空気調和機の室内機について説明する。  
【００３５】
［空気調和機の全体構成］
本発明の実施形態にかかる空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁面から突出する方向を「前方」と称し、その反対の方向を「後方」と称する。また、図１に示す左右方向を単に「左右方向」、図１に示す上下方向を単に「上下方向」と称する。
【００３６】
［室内機の構成］
図６に示すように、室内機１は、室内の壁面に固定される据付板２と、据付板２に取り付けられる室内機本体３とを有している。
【００３７】
［据付板］
据付板２は、図７に示すように、略矩形状の金属板であり、下方部分に２つの脚部８４、８４を有している。据付板２の上端には、室内機本体３の後述する底フレーム１０に嵌合する３つの嵌合部８１（爪部）が設けられている。また、据付板２の２つの脚部８４、８４の下端には、それぞれ室内機本体３の後述する底フレーム１０に嵌合する嵌合部８２（爪部）が設けられている。据付板２の上端近傍の上端部には、据付板２を室内の壁面に固定するための多数のねじ孔（据付板固定部）が形成されている。多数のねじ孔（据付板固定部）は、水平方向に沿って配置されている。なお、図７では、煩雑を避けるため、多数のねじ孔（据付板固定部）のうち実際にねじ止めされる３つのねじ孔８５（据付板固定部）に符号を付し、その他のねじ孔（据付板固定部）には符号を付すのを省略している。また、据付板２の下方部分である２つの脚部８４、８４にも、据付板２を室内の壁面に固定するための多数のねじ孔が形成されている。なお、本発明において、据付板２の下方部分とは、本実施形態において、２つの脚部８４、８４の間に形成された切欠き部分８３の上端に沿った水平線Ｌよりも下方の領域を指す。
【００３８】
［室内機本体］
室内機本体３は、図１−図５に示すように、主として、本体部４、前面パネル７、吹出パネル８、風向変更板５０、補助風向変更板５２などを備えている。
【００３９】
［本体部］
本体部４は、図４及び図５に示すように、前面グリル６及び底フレーム１０（ケーシング）を含むケース本体５と、ケース本体５の内部に収容された室内熱交換器２０、クロスフローファン２１（以下、単にファン２１とも称する）、ファンモータ、電装品箱４０を有する。
【００４０】
室内熱交換器２０及びファン２１は、図５に示すように、底フレーム１０に取り付けられている。室内熱交換器２０及びファン２１は、断面視においてファン２１が室内機１の略中央に配置され、逆Ｖ字型の形状を有する室内熱交換器２０がファン２１の上半分を囲むように配置されている。
【００４１】
電装品箱４０は、図４に示すように、室内熱交換器２０及びファン２１の正面視における右側方に配置されている。電装品箱４０は、内部に制御部を収容しており、室内機１の冷暖房運転等に必要な各構成部品の制御を行う。この制御部は、ファン２１を駆動するファンモータ、前面パネル７及び吹出パネル８を開閉する開閉機構６１を駆動する駆動機の駆動モータ、風向変更板５０及び補助風向変更板５２を駆動するフラップモータ及び補助フラップモータを接続しており、ファン２１、駆動機、風向変更板５０及び補助風向変更板５２の制御を行う。
【００４２】
前面グリル６は、前方から底フレーム１０に取り付けられ、本体部４の前方、側方、上方、下方を覆う。前面グリル６は、樹脂材料で成形されており、背面全体が開口した薄型の略直方体形状を有する。この前面グリル６は、図４に示すように、天面部３０と、前面３１と、下面３２とを有する。
【００４３】
天面部３０の略全面には、室内空気の第１吸込口２３（吸込口）が配置される。前面３１（ケーシング５の前面）は、両端３１Ｌ、３１Ｒを有し、図４に示すように、正面視において左右方向に長い略長方形の形状を有する。前面３１には、前面パネル７及び吹出パネル８が取り付けられ、前面パネル７及び吹出パネル８を開閉する開閉機構６１が配置される。図１（ａ）などから理解されるように、室内機１の運転停止時において、前面３１の上側は前面パネル７によって閉じられ、前面３１の下側は吹出パネル８によって閉じられた状態となる。一方、室内機１の運転時には、図１（ｂ）に示すように、開閉機構６１によって前面パネル７が略水平方向前方に移動することで、前面パネル７と前面３１との間に隙間が生じ室内空気を吸い込む第２吸込口２６が形成される。また、吹出パネル８が前面パネル７と前面グリル６との間に移動することで、吹出口２７が開かれる。
【００４４】
吹出口２７は、前面３１の下方及び下面３２の前方に形成されている。この吹出口２７は、ファン２１からの風を室内へと吹き出す開口であり、図２（ｂ）に示すように、正面視において水平方向に長い形状を有する。この吹出口２７の前面は、室内機１の運転停止時において吹出パネル８によって閉じられる。また、吹出口２７の下面は、室内機１の運転停止時において、底フレーム１０に取り付けられた風向変更板５０によって閉じられる。
【００４５】
（底フレーム）
底フレーム１０（ケーシング）は、樹脂材料で成形されており、ファン２１の下方、後方、側方を覆う形状を有している。この底フレーム１０は、図８に示すように、フレーム本体４２と、フレーム本体４２の左右両端に取り付けられる化粧板４７、４８（図３も併せて参照）とを有している。フレーム本体４２は、室内熱交換器２０及びファン２１を固定しており、上述した据付板２に取り付けられる。
【００４６】
図８及び図１１に示すように、底フレーム１０は、その下方部分（上述の水平線Ｌより下方の領域）に、長手方向（左右方向）に沿って延在する配管引出用の凹部４５を有している。この凹部４５には、図６に示すように、室外機に接続される配管９（例えば室内熱交換器２０に接続された補助配管や現地配管）が配置される。また、図８に示すように、底フレーム１０は、据付板２の長手方向端部より長手方向外側に配置された第１外側部１１及び第２外側部１２を有している。第１外側部１１は、据付板２の右端に沿った垂直線Ｅ１より右側の部分であり、第２外側部１２は、据付板２の左端に沿った垂直線Ｅ２より左側の部分である。第１外側部１１の背面には、高さ方向に沿って延在する配管引出用の切欠き４３（図８のハッチング部分）が形成されている。この切欠き４３には、室外機に接続される配管９（例えば室内熱交換器２０に接続された補助配管）が配置される。図６に示すように、配管引出用の切欠き４３は、この切欠き４３より背面側に配置された蓋５４によって背面側から見て閉じられている。
【００４７】
図８に示すように、第１外側部１１及び第２外側部１２は、背面側に突出した第１突出部７１及び第２突出部７２を有している。第１突出部７１及び第２突出部７２は、底フレーム１０の高さ方向略全幅に配置されている。第１突出部７１及び第２突出部７２は、図１０に示すように、フレーム本体４２の背面４４より壁面Ｓ側（背面側）に突出した部分である。第２突出部７２の突出長さＷ１は、例えば据付板２の厚みＷ２と略同じまたは僅かに小さくされている。また、第１突出部７１の突出長さは、第２突出部７２の突出長さＷ１と同様、例えば据付板２の厚みＷ２と略同じまたは僅かに小さくされている。
【００４８】
図８に示すように、第１突出部７１及び第２突出部７２には、底フレーム１０を室内の壁面に固定するためのねじ孔７３−７６（ねじ固定部）が設けられている。ねじ孔７３及びねじ孔７４は、第１突出部７１に配置され、ねじ孔７５及びねじ孔７６は、第２突出部７２に配置されている。ねじ孔７３及びねじ孔７５は、それぞれ、第１突出部７１及び第２突出部７２の上端近傍に配置される。ねじ孔７３及びねじ孔７５は、高さ方向において、据付板２のねじ孔８５（据付板固定部）と略同一位置に配置される。また、ねじ孔７４及びねじ孔７６は、それぞれねじ孔７３及びねじ孔７５より下方に配置される。図１２に示すように、据付板２の下方部分と対向する凹部Ｄを有する壁面Ｓに室内機１が取り付けられた状態において、ねじ孔７４（ねじ孔７６も同様）は、高さ方向において、据付板２の上端部に配置されるねじ孔８５（据付板固定部）と凹部Ｄとの間Ｗ３に配置されている。なお、ねじ孔７４及びねじ孔７６は、高さ方向において、ねじ孔８５よりも凹部Ｄに近い位置に配置されることが好ましい。
【００４９】
図９に示すように、ねじ孔７３−７６が配置される部分において、底フレーム１０のフレーム本体４２と化粧板４７、及び底フレーム１０のフレーム本体４２と化粧板４８は、それぞれ、前後方向において重なっている。したがって、ねじ孔７３及びねじ孔７４は、それぞれ、底フレーム１０及び化粧板４７の両方に設けられた孔によって構成され、ねじ孔７５及びねじ孔７６は、それぞれ、底フレーム１０及び化粧板４８の両方に設けられた孔によって構成される。したがって、ねじ孔７３−７６にねじＰ（図１０参照）が挿入されて、ねじＰが室内の壁面に螺合されると、フレーム本体４２と化粧板４７とが共締めされ、また、フレーム本体４２と化粧板４８とが共締めされる。
【００５０】
なお、第１突出部７１は、図８に示すように、第１外側部１１の背面に形成された配管引出用の切欠き４３より長手方向外側に配置されている。したがって、第１突出部７１に設けられたねじ孔７３及びねじ孔７４は、配管引出用の切欠き４３より長手方向外側に位置している。
【００５１】
次に、図１３を参照して、据付板２の下方部分と対向する凹部Ｄを有する壁面Ｓに室内機１が取り付けられる場合の取り付けの様子について説明する。
【００５２】
図１３（ａ）は、室内機１の取り付け前の壁面Ｓを示している。図１３（ａ）に示すように、凹部Ｄは水平方向に沿って延在した凹部である。図１３（ｂ）に示すように、まず据付板２の下方部分に凹部Ｄが対向するように、据付板２が壁面Ｓに取り付けられる。図１３（ｂ）に示すように、据付板２の下方部分（水平線Ｌより下方の領域）より上側では、据付板２と壁面Ｓとが接しているので、据付板２の上端近傍のねじ孔８５（据付板固定部）において、据付板２が壁面Ｓにねじ止めされる。しかし、据付板２の下方部分（水平線Ｌより下方の領域）では、据付板２と壁面Ｓとが接していないので、据付板２の下方部分（例えば２つの脚部８４、８４）では、据付板２が壁面Ｓにねじ止めされていない。図１３（ｃ）に示すように、次にこの据付板２に室内機本体３が取り付けられる。図１３（ｃ）に示すように、室内機本体３の底フレーム１０の凹部４５には、室外機に接続される配管９が配置されている。
【００５３】
ここで、室外機に接続される配管９の配置状態によっては、配管９が据付板２の切欠き部分８３から壁面Ｓに向かって突出することが考えられる。このとき、室内の壁面Ｓに据付板２の下方部分と対向する凹部Ｄがあって据付板２の下方部分を壁面Ｓにねじ止めできない場合には、底フレーム１０の下方部分が受ける力Ｆ１（図１３中の矢印参照）によって、底フレーム１０が据付板２ごと壁面Ｓに対して離れるように移動して、底フレーム１０と壁面Ｓとの間に隙間が生じ、意匠性が悪くなるおそれがある。しかし、この室内機１では、ねじ孔７４及びねじ孔７６が、高さ方向において、据付板２の上端部のねじ孔８５（据付板固定部）と壁面Ｓの凹部Ｄとの間Ｗ３に配置されるので、底フレーム１０の下方部分が力Ｆ１を受けても、底フレーム１０が壁面Ｓに対して離れるように移動せず、底フレーム１０と壁面Ｓとの間の隙間が大きくならないようにされている。
【００５４】
＜本実施形態の室内機の特徴＞
本実施形態の室内機１では、据付板２に取り付けられる底フレーム１０（ケーシング）が、底フレーム１０を壁面に固定するためのねじ孔７３−７６（ねじ固定部）を有するので、底フレーム１０が室内の壁面にねじ止めされる。したがって、底フレーム１０と壁面との間に隙間が生じて、室内機１の意匠性が悪くなるのを防止できる。
【００５５】
また、本実施形態の室内機１では、ねじ孔７３−７６（ねじ固定部）が据付板２の長手方向端部より長手方向外側に配置された底フレーム１０（ケーシング）の第１外側部１１及び第２外側部１２に配置されるので、底フレーム１０が室内の壁面に固定された状態において、据付板２が側方から見えにくい。
【００５６】
また、本実施形態の室内機１では、底フレーム１０（ケーシング）と室内の壁面との間に据付板２が介在するので、底フレーム１０の第１外側部１１及び第２外側部１２と室内の壁面との間には隙間が生じることになるが、底フレーム１０が室内の壁面に固定される際に底フレーム１０の第１突出部７１及び第２突出部７２が壁面に支持されるので、底フレーム１０の第１外側部１１及び第２外側部１２が壁面側に反るように変形することを防止できる。また、据付板２が側方からより見えにくい。
【００５７】
また、本実施形態の室内機１では、ねじ孔７３−７６（ねじ固定部）が第１突出部７１及び第２突出部７２に配置されるので、ねじ孔７３−７６が第１突出部７１及び第２突出部７２より長手方向外側に配置される場合に比べて、底フレーム１０（ケーシング）の第１外側部１１及び第２外側部１２が壁面側に反るように変形しにくい。
【００５８】
また、本実施形態の室内機１では、第１突出部７１及び第２突出部７２が底フレーム１０（ケーシング）の高さ方向略全幅にあるので、据付板２が側方からより見えにくい。
【００５９】
また、本実施形態の室内機１では、底フレーム１０（ケーシング）の第１外側部１１のうち配管引出用の切欠き４３より長手方向外側の部分の剛性が低くなるので、当該長手方向外側の部分において底フレーム１０と壁面との隙間が大きくなりやすいが、ねじ孔７３−７６（ねじ固定部）が当該長手方向外側の部分に配置されるので、配管引出用の切欠き４３より長手方向外側の部分において底フレーム１０と壁面との隙間が大きくなるのを防止できる。
【００６０】
また、本実施形態の室内機１では、図１２に示すように、壁面Ｓが据付板２の下方部分と対向する凹部Ｄを有するので、据付板２の下方部分を室内の壁面Ｓにねじ止めできない。そのため、室内機本体３の下方部分と室内の壁面Ｓとの隙間が大きくなりやすいが、ねじ孔７４及びねじ孔７６（ねじ固定部）が、高さ方向において、据付板２の上端部に配置されるねじ孔８５（据付板固定部）と壁面Ｓの凹部Ｄとの間に配置されるので、底フレーム１０の下方部分と壁面Ｓとの隙間が大きくなるのを防止できる。
【００６１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６２】
［変形例］
次に、図１４を参照しつつ変形例にかかる室内機について説明する。上記実施形態の室内機１では、ねじ孔７３−７６（ねじ固定部）が、第１突出部７１及び第２突出部７２に配置されるが、本変形例にかかる室内機では、ねじ孔１７３及びねじ１７４（ねじ固定部）が、据付板２の長手方向端部（据付板２の右端に沿った垂直線Ｅ１）と第１突出部７１との間に配置され、ねじ孔１７５及びねじ１７６（ねじ固定部）が、据付板２の長手方向端部（据付板２の左端に沿った垂直線Ｅ２）と第２突出部７２との間に配置される点で上記実施形態と異なる。
【００６３】
本変形例にかかる室内機では、ねじ孔１７３−１７６（ねじ固定部）が据付板２の長手方向端部と第１突出部７１及び第２突出部７２との間に配置されるので、ねじ孔１７３−１７６が第１突出部７１及び第２突出部７２より長手方向外側に配置される場合に比べて、底フレーム１０（ケーシング）の第１外側部１１及び第２外側部１２が壁面側に反るように変形しにくい。
【００６４】
［その他変形例］
上述の実施形態では、ねじ孔７３−７６（ねじ固定部）が第１外側部１１及び第２外側部１２に配置される場合について説明したが、ねじ固定部は、底フレーム１０を室内の壁面にねじ止めできる位置であれば、底フレーム１０のどこにあってもよい。
【００６５】
上述の実施形態では、ねじ孔７３−７６（ねじ固定部）が第１外側部１１及び第２外側部１２にそれぞれ２箇所ずつ配置設けられる場合について説明したが、第１外側部１１及び第２外側部１２に設けられるねじ固定部の数は、１箇所でもよいし３箇所以上でもよい。また、ねじ固定部は、第１外側部１１及び第２外側部１２の一方にだけあってもよい。
【００６６】
上述の実施形態では、第１外側部１１及び第２外側部１２にそれぞれ第１突出部７１及び第２突出部７２が設けられる場合について説明したが、突出部は第１外側部１１及び第２外側部１２の一方にだけあってもよいし、なくてもよい。
【００６７】
上述の実施形態では、第１突出部７１及び第２突出部７２が底フレーム１０（ケーシング）の高さ方向略全幅にある場合について説明したが、底フレーム１０の高さ方向一部にあってもよい。
【００６８】
上述の実施形態では、ねじ孔７３−７６（ねじ固定部）が、第１突出部７１及び第２突出部７２に配置される場合について説明したが、上述の変形例に示したように、ねじ固定部が、据付板２の長手方向端部と第１突出部７１及び第２突出部７２との間に配置されてもよいし、第１突出部７１及び第２突出部７２の長手方向外側に配置されてもよい。
【００６９】
上述の実施形態では、第１外側部１１の背面に、高さ方向に沿って延在する配管引出用の切欠き４３が形成されており、ねじ孔７３及び孔７４（ねじ固定部）が配管引出用の切欠き４３より長手方向外側に配置される場合について説明したが、ねじ固定部は、配管引出用の切欠き４３より長手方向内側に配置されてもよいし、配管引出用の切欠き４３に配置されてもよい。また、配管引出用の切欠き４３はなくてもよい。
【００７０】
上述の実施形態では、底フレーム１０（ケーシング）が第１外側部１１及び第２外側部１２を有する場合について説明したが、底フレームが第１外側部及び第２外側部の一方のみを有してもよいし、据付板２の長手方向端部より外側に配置される外側部を有さなくてもよい。
【００７１】
上述の実施形態では、ねじ孔７４及びねじ孔７６（ねじ固定部）が高さ方向において、据付板２の上端部のねじ孔８５（据付板固定部）と凹部Ｄとの間Ｗ３に配置されるが、それに限られるものではない。
【００７２】
上述の実施形態では、据付板２の下方部分と対向する凹部Ｄを有する壁面Ｓに取り付けられる室内機１について説明したが、室内機１が取り付けられる壁面は凹部を有さない壁面であってもよい。
【００７３】
上述の実施形態では、底フレーム１０（ケーシング）のねじ孔７３−７６（ねじ固定部）と室内の壁面との間に据付板２がない場合について説明したが、底フレーム１０のねじ孔７３−７６と室内の壁面との間に据付板２が介在していてもよい。
【００７４】
本発明を利用すれば、ケーシングと壁面との間に隙間が生じるのを防止できる。
【符号の説明】
【００７５】
１  室内機
２  据付板
１０  底フレーム（ケーシング）
４３  配管引出用の切欠き
７１  第１突出部
７２  第２突出部
７３−７６、１７３−１７６  ねじ孔（ねじ固定部）
８５  ねじ孔（据付板固定部）
Ｓ  壁面
Ｄ  凹部
【図１】
2015124975.tif 000003
【図２】
2015124975.tif 000004
【図３】
2015124975.tif 000005
【図４】
2015124975.tif 000006
【図５】
2015124975.tif 000007
【図６】
2015124975.tif 000008
【図７】
2015124975.tif 000009
【図８】
2015124975.tif 000010
【図９】
2015124975.tif 000011
【図１０】
2015124975.tif 000012
【図１１】
2015124975.tif 000013
【図１２】
2015124975.tif 000014
【図１３】
2015124975.tif 000015
【図１４】
2015124975.tif 000016
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
壁面に固定される据付板と、
前記据付板に取り付けられるケーシングとを備え、
前記ケーシングは、
前記据付板の長手方向端部より外側に配置され、当該ケーシングを壁面に固定するためのねじ固定部と、
前記据付板の長手方向端部より外側において背面側に突出した突出部とを有しており、
前記ねじ固定部が前記据付板の長手方向端部と前記突出部との間に配置されることを特徴とする室内機。
【請求項２】
前記突出部が、前記ケーシングの高さ方向略全幅にあることを特徴とする請求項１に記載の室内機。
【請求項３】
前記ケーシングには、前記据付板の長手方向端部より外側且つ前記ケーシングの背面側
において、高さ方向に沿って延在する配管引出用の切欠きが形成されており、
前記ねじ固定部が前記切欠きより長手方向外側に配置されることを特徴とする請求項１または２に記載の室内機。
【請求項４】
前記据付板の下方部分と対向する凹部を有する壁面に取り付けられる室内機であって、
前記据付板は、その上端部に当該据付板を壁面に固定するための据付板固定部を有して
おり、
前記ねじ固定部は、高さ方向において、前記据付板固定部と前記凹部との間に配置され
ることを特徴とする請求項１−３のいずれかに記載の室内機。
【手続補正２】
【補正対象書類名】明細書
【補正対象項目名】全文
【補正方法】変更
【補正の内容】
【発明の詳細な説明】
【技術分野】
【０００１】
本発明は、例えば空気調和機の室内機に関する。
【背景技術】
【０００２】
従来の室内機には、室内の壁面に取り付けられる壁掛け型のものがある。この室内機は
、室内の壁面に固定される据付板と、据付板に取り付けられるケーシングとを備えている
。
【０００３】
従来の室内機では、据付板は、その上端部及び下端部において室内の壁面にねじ止めさ
れることが多く、ケーシングは、据付板の上端部及び下端部に設けられた嵌合部（爪部）
により据付板に固定されることが多い。また、従来の室内機では、室外機に接続される配
管が据付板とケーシングとの間に配置されることが一般的である。
【先行技術文献】
【特許文献】
【０００４】
【特許文献１】特開平１０−１８５２９８号公報
【発明の概要】
【発明が解決しようとする課題】
【０００５】
上記の室内機では、例えば据付板として、当該据付板の下方部分にケーシングの背面と
対向しない切欠き部分を有するものを使用した場合、室外機に接続される配管が据付板の
切欠き部分から壁面に向かって突出することが考えられる。このとき、室内の壁面に据付
板の下方部分と対向する凹部があって据付板の下方部分を壁面にねじ止めできない場合や
、据付板の下方部分をねじ止めし忘れた場合などには、ケーシングが据付板ごと壁面に対
して離れるように移動して、ケーシングと壁面との間に隙間が生じ、意匠性が悪くなる問
題がある。
【０００６】
また、例えば据付板とケーシングとの嵌合状態が緩い場合には、室内機の自重によって
ケーシングが据付板に対して離れるように移動して、ケーシングと壁面との間に隙間が生
じ、意匠性が悪くなる問題がある。
【０００７】
そこで、本発明の目的は、ケーシングと壁面との間に隙間が生じるのを防止できる室内
機を提供することである。
【課題を解決するための手段】
【０００８】
第１の発明にかかる室内機は、壁面に固定される据付板と、前記据付板に取り付けられるケーシングとを備え、前記ケーシングは、前記据付板の長手方向端部より外側に配置され、当該ケーシングを壁面に固定するためのねじ固定部と、前記据付板の長手方向端部より外側において背面側に突出した突出部とを有しており、前記ねじ固定部が前記据付板の長手方向端部と前記突出部との間に配置されることを特徴とする。
【０００９】
この室内機では、ケーシングが室内の壁面にねじ止めされるので、ケーシングと壁面と
の間に隙間が生じるのを防止できる。その結果、室内機の意匠性が向上する。
【００１０】
【００１１】
この室内機では、ねじ固定部が据付板の長手方向端部より外側に配置されるので、ケー
シングが室内の壁面に固定された状態において、据付板が側方から見えにくい。
【００１２】
【００１３】
この室内機では、ケーシングと室内の壁面との間に据付板が介在するので、据付板の長
手方向端部より外側においてケーシングと室内の壁面との間には隙間が生じることになる
が、ケーシングが室内の壁面に固定される際にケーシングの突出部が壁面に支持されるの
で、ケーシングの外側部分が壁面側に反るように変形することを防止できる。また、据付
板が側方からより見えにくい。
【００１４】
【００１５】
【００１６】
【００１７】
この室内機では、ねじ固定部が突出部より長手方向外側に配置される場合に比べて、ケ
ーシングの外側部分が壁面側に反るように変形しにくい。
【００１８】
第２の発明にかかる室内機は、第１の発明にかかる室内機において、前記突出部が、前記ケーシングの高さ方向略全幅にあることを特徴とする。
【００１９】
この室内機では、突出部がケーシングの高さ方向略全幅にあるので、据付板が側方から
より見えにくい。
【００２０】
第３の発明にかかる室内機は、第１または第２の発明にかかる室内機において、前記ケーシングには、前記据付板の長手方向端部より外側且つ前記ケーシングの背面側において、高さ方向に沿って延在する配管引出用の切欠きが形成されており、前記ねじ固定部が前記切欠きより長手方向外側に配置されることを特徴とする。
【００２１】
この室内機では、ケーシングのうち配管引出用の切欠きより長手方向外側の部分の剛性
が低くなるので、当該長手方向外側の部分においてケーシングと壁面との隙間が大きくな
りやすいが、ねじ固定部が当該長手方向外側の部分に配置されるので、配管引出用の切欠
きより長手方向外側の部分においてケーシングと壁面との隙間が大きくなるのを防止でき
る。
【００２２】
第４の発明にかかる室内機は、第１−第３のいずれかの発明にかかる室内機において、前記据付板の下方部分と対向する凹部を有する壁面に取り付けられる室内機であって、前記据付板は、その上端部に当該据付板を壁面に固定するための据付板固定部を有しており、前記ねじ固定部は、高さ方向において、前記据付板固定部と前記凹部との間に配置されることを特徴とする。
【００２３】
この室内機では、据付板の下方部分を室内の壁面にねじ止めできないため、室内機の下
方部分と室内の壁面との隙間が大きくなりやすいが、ねじ固定部が高さ方向において据付
板の上端部に配置される据付板固定部と壁面の凹部との間に配置されるので、室内機の下
方部分と壁面との隙間が大きくなるのを防止できる。
【発明の効果】
【００２４】
以上の説明に述べたように、本発明によれば、以下の効果が得られる。
【００２５】
第１の発明では、ケーシングが室内の壁面にねじ止めされるので、ケーシングと壁面と
の間に隙間が生じるのを防止できる。その結果、室内機の意匠性が向上する。
【００２６】
第１の発明では、ねじ固定部が据付板の長手方向端部より外側の外側部分に配置される
ので、ケーシングが室内の壁面に固定された状態において、据付板が側方から見えにくい
。
【００２７】
第１の発明では、ケーシングと室内の壁面との間に据付板が介在するので、据付板の長
手方向端部より外側においてケーシングと室内の壁面との間には隙間が生じることになる
が、ケーシングが室内の壁面に固定される際にケーシングの突出部が壁面に支持されるの
で、ケーシングの外側部分が壁面側に反るように変形することを防止できる。また、据付
板が側方からより見えにくい。
【００２８】
【００２９】
第１の発明では、ねじ固定部が突出部より長手方向外側に配置される場合に比べて、ケ
ーシングの外側部分が壁面側に反るように変形しにくい。
【００３０】
第２の発明では、突出部がケーシングの高さ方向略全幅にあるので、据付板が側方から
より見えにくい。
【００３１】
第３の発明では、ケーシングのうち配管引出用の切欠きより長手方向外側の部分の剛性
が低くなるので、当該長手方向外側の部分においてケーシングと壁面との隙間が大きくな
りやすいが、ねじ固定部が当該長手方向外側の部分に配置されるので、配管引出用の切欠
きより長手方向外側の部分においてケーシングと壁面との隙間が大きくなるのを防止でき
る。
【００３２】
第４の発明では、据付板の下方部分を室内の壁面にねじ止めできないため、室内機の下
方部分と室内の壁面との隙間が大きくなりやすいが、ねじ固定部が高さ方向において据付
板の上端部に配置される据付板固定部と壁面の凹部との間に配置されるので、室内機の下
方部分と壁面との隙間が大きくなるのを防止できる。
【図面の簡単な説明】
【００３３】
【図１】（ａ）は、本発明の実施形態にかかる室内機の停止時の斜視図であり、（ｂ）は、室内機の運転時の斜視図であり、（ｃ）は、室内機から前面パネル及び吹出パネルを取り外したときの斜視図である。
【図２】（ａ）は、室内機の停止時の正面図であり、（ｂ）は、室内機の運転時の正面図である。
【図３】（ａ）は、室内機の停止時の右側面図であり、（ｂ）は、室内機の運転時の右側面図である。
【図４】室内機から前面パネル及び吹出パネルを取り外したときの正面図である。
【図５】室内機の縦断面を示す概略図である。
【図６】室内機の背面図である。
【図７】据付板単品の正面図である。
【図８】据付板及び底フレームの背面図である。
【図９】据付板及び底フレームの正面図である。
【図１０】据付板及び底フレームの上面図である。
【図１１】（ａ）は、底フレームの右側面図であり、（ｂ）は、底フレームから化粧板を外したフレーム本体単体の右側面図である。
【図１２】据付板の下方部分と対向する凹部を有する壁面に室内機が取り付けられたときの様子を側方から見た概略図である。
【図１３】据付板の下方部分と対向する凹部を有する壁面に室内機が取り付けられる様子を説明した図であり、（ａ）は、室内機取り付け前の壁面を示す図、（ｂ）は、据付板取り付け後の壁面を示す図、（ｃ）は、室内機取り付け後の壁面を示す図である。
【図１４】本発明の変形例にかかる室内機における据付板及び底フレームの背面図である。
【発明を実施するための形態】
【００３４】
以下、本発明の実施形態に係る空気調和機の室内機について説明する。
【００３５】
［空気調和機の全体構成］
本発明の実施形態にかかる空気調和機は、図１に示す室内機１と、図示しない室外機と
で構成されている。室内機１は、全体として一方向に細長い形状をしており、その長手方
向が水平となるように室内の壁面に据え付けられている。なお、以下の説明において、室
内機１が取り付けられる壁面から突出する方向を「前方」と称し、その反対の方向を「後
方」と称する。また、図１に示す左右方向を単に「左右方向」、図１に示す上下方向を単
に「上下方向」と称する。
【００３６】
［室内機の構成］
図６に示すように、室内機１は、室内の壁面に固定される据付板２と、据付板２に取り
付けられる室内機本体３とを有している。
【００３７】
［据付板］
据付板２は、図７に示すように、略矩形状の金属板であり、下方部分に２つの脚部８４
、８４を有している。据付板２の上端には、室内機本体３の後述する底フレーム１０に嵌
合する３つの嵌合部８１（爪部）が設けられている。また、据付板２の２つの脚部８４、
８４の下端には、それぞれ室内機本体３の後述する底フレーム１０に嵌合する嵌合部８２
（爪部）が設けられている。据付板２の上端近傍の上端部には、据付板２を室内の壁面に
固定するための多数のねじ孔（据付板固定部）が形成されている。多数のねじ孔（据付板
固定部）は、水平方向に沿って配置されている。なお、図７では、煩雑を避けるため、多
数のねじ孔（据付板固定部）のうち実際にねじ止めされる３つのねじ孔８５（据付板固定
部）に符号を付し、その他のねじ孔（据付板固定部）には符号を付すのを省略している。
また、据付板２の下方部分である２つの脚部８４、８４にも、据付板２を室内の壁面に固
定するための多数のねじ孔が形成されている。なお、本発明において、据付板２の下方部
分とは、本実施形態において、２つの脚部８４、８４の間に形成された切欠き部分８３の
上端に沿った水平線Ｌよりも下方の領域を指す。
【００３８】
［室内機本体］
室内機本体３は、図１−図５に示すように、主として、本体部４、前面パネル７、吹出
パネル８、風向変更板５０、補助風向変更板５２などを備えている。
【００３９】
［本体部］
本体部４は、図４及び図５に示すように、前面グリル６及び底フレーム１０（ケーシン
グ）を含むケース本体５と、ケース本体５の内部に収容された室内熱交換器２０、クロス
フローファン２１（以下、単にファン２１とも称する）、ファンモータ、電装品箱４０を
有する。
【００４０】
室内熱交換器２０及びファン２１は、図５に示すように、底フレーム１０に取り付けら
れている。室内熱交換器２０及びファン２１は、断面視においてファン２１が室内機１の
略中央に配置され、逆Ｖ字型の形状を有する室内熱交換器２０がファン２１の上半分を囲
むように配置されている。
【００４１】
電装品箱４０は、図４に示すように、室内熱交換器２０及びファン２１の正面視におけ
る右側方に配置されている。電装品箱４０は、内部に制御部を収容しており、室内機１の
冷暖房運転等に必要な各構成部品の制御を行う。この制御部は、ファン２１を駆動するフ
ァンモータ、前面パネル７及び吹出パネル８を開閉する開閉機構６１を駆動する駆動機の
駆動モータ、風向変更板５０及び補助風向変更板５２を駆動するフラップモータ及び補助
フラップモータを接続しており、ファン２１、駆動機、風向変更板５０及び補助風向変更
板５２の制御を行う。
【００４２】
前面グリル６は、前方から底フレーム１０に取り付けられ、本体部４の前方、側方、上
方、下方を覆う。前面グリル６は、樹脂材料で成形されており、背面全体が開口した薄型
の略直方体形状を有する。この前面グリル６は、図４に示すように、天面部３０と、前面
３１と、下面３２とを有する。
【００４３】
天面部３０の略全面には、室内空気の第１吸込口２３（吸込口）が配置される。前面３
１（ケーシング５の前面）は、両端３１Ｌ、３１Ｒを有し、図４に示すように、正面視に
おいて左右方向に長い略長方形の形状を有する。前面３１には、前面パネル７及び吹出パ
ネル８が取り付けられ、前面パネル７及び吹出パネル８を開閉する開閉機構６１が配置さ
れる。図１（ａ）などから理解されるように、室内機１の運転停止時において、前面３１
の上側は前面パネル７によって閉じられ、前面３１の下側は吹出パネル８によって閉じら
れた状態となる。一方、室内機１の運転時には、図１（ｂ）に示すように、開閉機構６１
によって前面パネル７が略水平方向前方に移動することで、前面パネル７と前面３１との
間に隙間が生じ室内空気を吸い込む第２吸込口２６が形成される。また、吹出パネル８が
前面パネル７と前面グリル６との間に移動することで、吹出口２７が開かれる。
【００４４】
吹出口２７は、前面３１の下方及び下面３２の前方に形成されている。この吹出口２７
は、ファン２１からの風を室内へと吹き出す開口であり、図２（ｂ）に示すように、正面
視において水平方向に長い形状を有する。この吹出口２７の前面は、室内機１の運転停止
時において吹出パネル８によって閉じられる。また、吹出口２７の下面は、室内機１の運
転停止時において、底フレーム１０に取り付けられた風向変更板５０によって閉じられる
。
【００４５】
（底フレーム）
底フレーム１０（ケーシング）は、樹脂材料で成形されており、ファン２１の下方、後
方、側方を覆う形状を有している。この底フレーム１０は、図８に示すように、フレーム
本体４２と、フレーム本体４２の左右両端に取り付けられる化粧板４７、４８（図３も併
せて参照）とを有している。フレーム本体４２は、室内熱交換器２０及びファン２１を固
定しており、上述した据付板２に取り付けられる。
【００４６】
図８及び図１１に示すように、底フレーム１０は、その下方部分（上述の水平線Ｌより
下方の領域）に、長手方向（左右方向）に沿って延在する配管引出用の凹部４５を有して
いる。この凹部４５には、図６に示すように、室外機に接続される配管９（例えば室内熱
交換器２０に接続された補助配管や現地配管）が配置される。また、図８に示すように、
底フレーム１０は、据付板２の長手方向端部より長手方向外側に配置された第１外側部１
１及び第２外側部１２を有している。第１外側部１１は、据付板２の右端に沿った垂直線
Ｅ１より右側の部分であり、第２外側部１２は、据付板２の左端に沿った垂直線Ｅ２より
左側の部分である。第１外側部１１の背面には、高さ方向に沿って延在する配管引出用の
切欠き４３（図８のハッチング部分）が形成されている。この切欠き４３には、室外機に
接続される配管９（例えば室内熱交換器２０に接続された補助配管）が配置される。図６
に示すように、配管引出用の切欠き４３は、この切欠き４３より背面側に配置された蓋５
４によって背面側から見て閉じられている。
【００４７】
図８に示すように、第１外側部１１及び第２外側部１２は、背面側に突出した第１突出
部７１及び第２突出部７２を有している。第１突出部７１及び第２突出部７２は、底フレ
ーム１０の高さ方向略全幅に配置されている。第１突出部７１及び第２突出部７２は、図
１０に示すように、フレーム本体４２の背面４４より壁面Ｓ側（背面側）に突出した部分
である。第２突出部７２の突出長さＷ１は、例えば据付板２の厚みＷ２と略同じまたは僅
かに小さくされている。また、第１突出部７１の突出長さは、第２突出部７２の突出長さ
Ｗ１と同様、例えば据付板２の厚みＷ２と略同じまたは僅かに小さくされている。
【００４８】
図８に示すように、第１突出部７１及び第２突出部７２には、底フレーム１０を室内の
壁面に固定するためのねじ孔７３−７６（ねじ固定部）が設けられている。ねじ孔７３及
びねじ孔７４は、第１突出部７１に配置され、ねじ孔７５及びねじ孔７６は、第２突出部
７２に配置されている。ねじ孔７３及びねじ孔７５は、それぞれ、第１突出部７１及び第
２突出部７２の上端近傍に配置される。ねじ孔７３及びねじ孔７５は、高さ方向において
、据付板２のねじ孔８５（据付板固定部）と略同一位置に配置される。また、ねじ孔７４
及びねじ孔７６は、それぞれねじ孔７３及びねじ孔７５より下方に配置される。図１２に
示すように、据付板２の下方部分と対向する凹部Ｄを有する壁面Ｓに室内機１が取り付け
られた状態において、ねじ孔７４（ねじ孔７６も同様）は、高さ方向において、据付板２
の上端部に配置されるねじ孔８５（据付板固定部）と凹部Ｄとの間Ｗ３に配置されている
。なお、ねじ孔７４及びねじ孔７６は、高さ方向において、ねじ孔８５よりも凹部Ｄに近
い位置に配置されることが好ましい。
【００４９】
図９に示すように、ねじ孔７３−７６が配置される部分において、底フレーム１０のフ
レーム本体４２と化粧板４７、及び底フレーム１０のフレーム本体４２と化粧板４８は、
それぞれ、前後方向において重なっている。したがって、ねじ孔７３及びねじ孔７４は、
それぞれ、底フレーム１０及び化粧板４７の両方に設けられた孔によって構成され、ねじ
孔７５及びねじ孔７６は、それぞれ、底フレーム１０及び化粧板４８の両方に設けられた
孔によって構成される。したがって、ねじ孔７３−７６にねじＰ（図１０参照）が挿入さ
れて、ねじＰが室内の壁面に螺合されると、フレーム本体４２と化粧板４７とが共締めさ
れ、また、フレーム本体４２と化粧板４８とが共締めされる。
【００５０】
なお、第１突出部７１は、図８に示すように、第１外側部１１の背面に形成された配管
引出用の切欠き４３より長手方向外側に配置されている。したがって、第１突出部７１に
設けられたねじ孔７３及びねじ孔７４は、配管引出用の切欠き４３より長手方向外側に位
置している。
【００５１】
次に、図１３を参照して、据付板２の下方部分と対向する凹部Ｄを有する壁面Ｓに室内
機１が取り付けられる場合の取り付けの様子について説明する。
【００５２】
図１３（ａ）は、室内機１の取り付け前の壁面Ｓを示している。図１３（ａ）に示すよ
うに、凹部Ｄは水平方向に沿って延在した凹部である。図１３（ｂ）に示すように、まず
据付板２の下方部分に凹部Ｄが対向するように、据付板２が壁面Ｓに取り付けられる。図
１３（ｂ）に示すように、据付板２の下方部分（水平線Ｌより下方の領域）より上側では
、据付板２と壁面Ｓとが接しているので、据付板２の上端近傍のねじ孔８５（据付板固定
部）において、据付板２が壁面Ｓにねじ止めされる。しかし、据付板２の下方部分（水平
線Ｌより下方の領域）では、据付板２と壁面Ｓとが接していないので、据付板２の下方部
分（例えば２つの脚部８４、８４）では、据付板２が壁面Ｓにねじ止めされていない。図
１３（ｃ）に示すように、次にこの据付板２に室内機本体３が取り付けられる。図１３（
ｃ）に示すように、室内機本体３の底フレーム１０の凹部４５には、室外機に接続される
配管９が配置されている。
【００５３】
ここで、室外機に接続される配管９の配置状態によっては、配管９が据付板２の切欠き
部分８３から壁面Ｓに向かって突出することが考えられる。このとき、室内の壁面Ｓに据
付板２の下方部分と対向する凹部Ｄがあって据付板２の下方部分を壁面Ｓにねじ止めでき
ない場合には、底フレーム１０の下方部分が受ける力Ｆ１（図１３中の矢印参照）によっ
て、底フレーム１０が据付板２ごと壁面Ｓに対して離れるように移動して、底フレーム１
０と壁面Ｓとの間に隙間が生じ、意匠性が悪くなるおそれがある。しかし、この室内機１
では、ねじ孔７４及びねじ孔７６が、高さ方向において、据付板２の上端部のねじ孔８５
（据付板固定部）と壁面Ｓの凹部Ｄとの間Ｗ３に配置されるので、底フレーム１０の下方
部分が力Ｆ１を受けても、底フレーム１０が壁面Ｓに対して離れるように移動せず、底フ
レーム１０と壁面Ｓとの間の隙間が大きくならないようにされている。
【００５４】
＜本実施形態の室内機の特徴＞
本実施形態の室内機１では、据付板２に取り付けられる底フレーム１０（ケーシング）
が、底フレーム１０を壁面に固定するためのねじ孔７３−７６（ねじ固定部）を有するの
で、底フレーム１０が室内の壁面にねじ止めされる。したがって、底フレーム１０と壁面
との間に隙間が生じて、室内機１の意匠性が悪くなるのを防止できる。
【００５５】
また、本実施形態の室内機１では、ねじ孔７３−７６（ねじ固定部）が据付板２の長手
方向端部より長手方向外側に配置された底フレーム１０（ケーシング）の第１外側部１１
及び第２外側部１２に配置されるので、底フレーム１０が室内の壁面に固定された状態に
おいて、据付板２が側方から見えにくい。
【００５６】
また、本実施形態の室内機１では、底フレーム１０（ケーシング）と室内の壁面との間
に据付板２が介在するので、底フレーム１０の第１外側部１１及び第２外側部１２と室内
の壁面との間には隙間が生じることになるが、底フレーム１０が室内の壁面に固定される
際に底フレーム１０の第１突出部７１及び第２突出部７２が壁面に支持されるので、底フ
レーム１０の第１外側部１１及び第２外側部１２が壁面側に反るように変形することを防
止できる。また、据付板２が側方からより見えにくい。
【００５７】
また、本実施形態の室内機１では、ねじ孔７３−７６（ねじ固定部）が第１突出部７１
及び第２突出部７２に配置されるので、ねじ孔７３−７６が第１突出部７１及び第２突出
部７２より長手方向外側に配置される場合に比べて、底フレーム１０（ケーシング）の第
１外側部１１及び第２外側部１２が壁面側に反るように変形しにくい。
【００５８】
また、本実施形態の室内機１では、第１突出部７１及び第２突出部７２が底フレーム１
０（ケーシング）の高さ方向略全幅にあるので、据付板２が側方からより見えにくい。
【００５９】
また、本実施形態の室内機１では、底フレーム１０（ケーシング）の第１外側部１１の
うち配管引出用の切欠き４３より長手方向外側の部分の剛性が低くなるので、当該長手方
向外側の部分において底フレーム１０と壁面との隙間が大きくなりやすいが、ねじ孔７３
−７６（ねじ固定部）が当該長手方向外側の部分に配置されるので、配管引出用の切欠き
４３より長手方向外側の部分において底フレーム１０と壁面との隙間が大きくなるのを防
止できる。
【００６０】
また、本実施形態の室内機１では、図１２に示すように、壁面Ｓが据付板２の下方部分
と対向する凹部Ｄを有するので、据付板２の下方部分を室内の壁面Ｓにねじ止めできない
。そのため、室内機本体３の下方部分と室内の壁面Ｓとの隙間が大きくなりやすいが、ね
じ孔７４及びねじ孔７６（ねじ固定部）が、高さ方向において、据付板２の上端部に配置
されるねじ孔８５（据付板固定部）と壁面Ｓの凹部Ｄとの間に配置されるので、底フレー
ム１０の下方部分と壁面Ｓとの隙間が大きくなるのを防止できる。
【００６１】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味及び範囲内でのすべての変更が含まれる。
【００６２】
［変形例］
次に、図１４を参照しつつ変形例にかかる室内機について説明する。上記実施形態の室
内機１では、ねじ孔７３−７６（ねじ固定部）が、第１突出部７１及び第２突出部７２に
配置されるが、本変形例にかかる室内機では、ねじ孔１７３及びねじ１７４（ねじ固定部
）が、据付板２の長手方向端部（据付板２の右端に沿った垂直線Ｅ１）と第１突出部７１
との間に配置され、ねじ孔１７５及びねじ１７６（ねじ固定部）が、据付板２の長手方向
端部（据付板２の左端に沿った垂直線Ｅ２）と第２突出部７２との間に配置される点で上
記実施形態と異なる。
【００６３】
本変形例にかかる室内機では、ねじ孔１７３−１７６（ねじ固定部）が据付板２の長手
方向端部と第１突出部７１及び第２突出部７２との間に配置されるので、ねじ孔１７３−
１７６が第１突出部７１及び第２突出部７２より長手方向外側に配置される場合に比べて
、底フレーム１０（ケーシング）の第１外側部１１及び第２外側部１２が壁面側に反るよ
うに変形しにくい。
【００６４】
［その他変形例］
上述の実施形態では、ねじ孔７３−７６（ねじ固定部）が第１外側部１１及び第２外側
部１２に配置される場合について説明したが、ねじ固定部は、底フレーム１０を室内の壁
面にねじ止めできる位置であれば、底フレーム１０のどこにあってもよい。
【００６５】
上述の実施形態では、ねじ孔７３−７６（ねじ固定部）が第１外側部１１及び第２外側
部１２にそれぞれ２箇所ずつ配置設けられる場合について説明したが、第１外側部１１及
び第２外側部１２に設けられるねじ固定部の数は、１箇所でもよいし３箇所以上でもよい
。また、ねじ固定部は、第１外側部１１及び第２外側部１２の一方にだけあってもよい。
【００６６】
上述の実施形態では、第１外側部１１及び第２外側部１２にそれぞれ第１突出部７１及
び第２突出部７２が設けられる場合について説明したが、突出部は第１外側部１１及び第
２外側部１２の一方にだけあってもよいし、なくてもよい。
【００６７】
上述の実施形態では、第１突出部７１及び第２突出部７２が底フレーム１０（ケーシン
グ）の高さ方向略全幅にある場合について説明したが、底フレーム１０の高さ方向一部に
あってもよい。
【００６８】
上述の実施形態では、ねじ孔７３−７６（ねじ固定部）が、第１突出部７１及び第２突
出部７２に配置される場合について説明したが、上述の変形例に示したように、ねじ固定
部が、据付板２の長手方向端部と第１突出部７１及び第２突出部７２との間に配置されて
もよいし、第１突出部７１及び第２突出部７２の長手方向外側に配置されてもよい。
【００６９】
上述の実施形態では、第１外側部１１の背面に、高さ方向に沿って延在する配管引出用
の切欠き４３が形成されており、ねじ孔７３及び孔７４（ねじ固定部）が配管引出用の切
欠き４３より長手方向外側に配置される場合について説明したが、ねじ固定部は、配管引
出用の切欠き４３より長手方向内側に配置されてもよいし、配管引出用の切欠き４３に配
置されてもよい。また、配管引出用の切欠き４３はなくてもよい。
【００７０】
上述の実施形態では、底フレーム１０（ケーシング）が第１外側部１１及び第２外側部
１２を有する場合について説明したが、底フレームが第１外側部及び第２外側部の一方の
みを有してもよいし、据付板２の長手方向端部より外側に配置される外側部を有さなくて
もよい。
【００７１】
上述の実施形態では、ねじ孔７４及びねじ孔７６（ねじ固定部）が高さ方向において、
据付板２の上端部のねじ孔８５（据付板固定部）と凹部Ｄとの間Ｗ３に配置されるが、そ
れに限られるものではない。
【００７２】
上述の実施形態では、据付板２の下方部分と対向する凹部Ｄを有する壁面Ｓに取り付け
られる室内機１について説明したが、室内機１が取り付けられる壁面は凹部を有さない壁
面であってもよい。
【００７３】
上述の実施形態では、底フレーム１０（ケーシング）のねじ孔７３−７６（ねじ固定部
）と室内の壁面との間に据付板２がない場合について説明したが、底フレーム１０のねじ
孔７３−７６と室内の壁面との間に据付板２が介在していてもよい。
【００７４】
本発明を利用すれば、ケーシングと壁面との間に隙間が生じるのを防止できる。
【符号の説明】
【００７５】
１  室内機
２  据付板
１０  底フレーム（ケーシング）
４３  配管引出用の切欠き
７１  第１突出部
７２  第２突出部
７３−７６、１７３−１７６  ねじ孔（ねじ固定部）
８５  ねじ孔（据付板固定部）
Ｓ  壁面
Ｄ  凹部